(57)【特許請求の範囲】
【請求項１】
上部に切り花の茎部を差し入れる口部(173)を有する容器本体(1)と、
展開したものを筒状に組み立てて形成でき、容器本体(1)の口部(173)の上方を囲むようにして、容器本体(1)に着脱できる被包シート(2)と、
を備えており、
前記容器本体(1)は、
外形が平面視四角形状の底面部(11)の各角部である四箇所から脚部(12)が立ち上がって形成されている支持枠(10)を有し、
前記脚部(12)は板状体にて外側へ膨らむように形成され、前記各脚部(12)の下端部には、外側へ膨出し内側は中空となっている係合部(14)が設けられており、 
更に、前記容器本体(1)は、
筒状に組み立てた状態の被包シート(2)の下端部を載置する、前記係合部(14)の外側上部の載置段部(140)と、
前記脚部(12)の外面部に所要数設けられている係合穴(15)と、
筒状に組み立てた状態の被包シート(2)の上部に、容器本体(1)を着脱できるようにして装着するための嵌合部と、
を備えており、
前記被包シート(2)には、
前記容器本体(1)の各係合穴(15)に係合可能で、係合することにより各係合穴(15)と協働して容器本体(1)に被包シート(2)を固定できる係合部(28)が設けられており、
切り花搬送容器(A1)を積み重ねるときに、下側の切り花搬送容器(A1)の被包シート(2)の上部に、上側となる切り花搬送容器(A1)の容器本体(1)の支持枠(10)を外嵌めするようにし、被包シート(2)の上部の四箇所の角部に、前記係合部(14)の裏側の載置段部(140)の内部側の下面を載せるように構成している、
切り花搬送容器。
【発明の詳細な説明】
【技術分野】
【０００１】
本発明は、切り花搬送容器に関するものである。更に詳しくは、例えば切り花の包装を、茎や葉などを傷めることなく、より簡単に行うことができ、切り花を包装した状態で容器を積み重ねることができる切り花搬送容器に関する。
【背景技術】
【０００２】
従来から、切り花を搬送または輸送するために様々な容器が使用されている。当初はバケツ状のものが使用されていたが、これでは収容する切り花が長尺である場合、茎が折れるなど切り花が傷みやすい欠点があった。
そこで、近年では長さが異なる切り花を、それぞれに対応し、傷みにくい状態で包装して搬送することができる容器が提案されている（特許文献１参照）。
【０００３】
特許文献１に記載の容器は、構造が異なる容器本体と上枠体から構成されている。この容器は、容器本体を単独で使用することにより長さの短い切り花に対応できる。また、容器本体の上部に上枠体を載置して組み合わせて全高を高くすることにより長尺の切り花に対応できるようになっている。なお、容器本体と上枠体を組み合わせて使用する場合は、組み合わせた状態で、上部の口部から切り花を落とし込むように収容する。
【０００４】
【特許文献１】特開２００２−３２６６３０
【発明の開示】
【発明が解決しようとする課題】
【０００５】
しかしながら、前記特許文献１に記載の容器には、次のような課題があった。
まず、前記したように切り花を収容するにあたっては、切り花を容器の上の比較的狭い口部から落とし込むようにして収容するため、切り花の茎や葉が上枠体で擦れて傷むことがないように細心の注意を払う必要があるので、包装作業がやりにくいという課題があった。
【０００６】
さらにこの容器は、切り花を包装した状態で容器同士を積み重ねることができないので、保管や搬送の際のスペース効率がきわめて悪かった。また、例えばトラックの荷室等に容器を多段に積むためには、重くて嵩張る棚や棚車が必要になり、その分だけ積載重量が増えてしまう課題もあった。
【０００７】
（本発明の目的）
そこで本発明の目的は、切り花の包装を茎や葉などを傷めることなく、より簡単に収容及び搬送を行うことができる容器を提供することである。
さらに他の目的は、前記目的に加え、切り花を包装した状態で容器を積み重ねることができ、搬送作業の際に便利な切り花包装用容器を提供することである。
【課題を解決するための手段】
【０００８】
上記課題を解決するために本発明が講じた手段は次のとおりである。
本発明は、
上部に切り花の茎部を差し入れる口部を有する容器本体と、
展開したものを筒状に組み立てて形成でき、容器本体の口部の上方を囲むようにして、容器本体に着脱できる被包シートと、
を備えており、
前記容器本体は、
外形が平面視四角形状の底面部の各角部である四箇所から脚部が立ち上がって形成されている支持枠を有し、
前記脚部は板状体にて外側へ膨らむように形成され、前記各脚部の下端部には、外側へ膨出し内側は中空となっている係合部が設けられており、
更に、前記容器本体は、
筒状に組み立てた状態の被包シートの下端部を載置する、前記係合部の外側上部の載置段部と、
前記脚部の外面部に所要数設けられている係合穴と、
筒状に組み立てた状態の被包シートの上部に、容器本体を着脱できるようにして装着するための嵌合部と、
を備えており、
前記被包シートには、
前記容器本体の各係合穴に係合可能で、係合することにより各係合穴と協働して容器本体に被包シートを固定できる係合部が設けられており、
切り花搬送容器を積み重ねるときに、下側の切り花搬送容器の被包シートの上部に、上側となる切り花搬送容器の容器本体の支持枠を外嵌めするようにし、被包シートの上部の四箇所の角部に、前記係合部の裏側の載置段部の内部側の下面を載せるように構成している、
切り花搬送容器である。
【０００９】
容器本体と被包シートの材料は特に限定はしないが、容器を軽量にし、材料のコストを安価にするためには、例えば合成樹脂や紙（段ボール等）を採用するのが好ましい。これらの材料は、容器本体と被包シートのそれぞれの容器で単独で採用してもよいし、複合して採用してもよい。
【００１０】
本明細書及び本特許請求の範囲においては、第１の係合要素（被包シートの変形部を含む）は「下部係合穴、上面部、下部折込片、上部折込片」を、第２の係合要素（被包シートの変形部を含む）は「上部係合穴、下部折込片」を、載置部は「上面部」を、受入部（容器本体の係合要素）は「下部係合穴、上部係合穴」を、嵌装部は「係合部」を、阻止手段は「載置段部」を、容器本体の係合要素は「上部係合穴、下部係合穴」を、物品は「切り花」を含む用語として使用している。また、容器は、切り花の運搬容器として好適に使用される。
【００１１】
（作用）
本発明に係る容器の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１２】
容器本体(1)に被包シート(2)を巻着して、同容器本体の上方に自立性を有する筒状体を形成する。
このとき、上記容器本体(1)と被包シート(2)の第１の係合要素(15,28)(13,29)が、巻着した被包シート(2)に加わる荷重を協働して支え、第２の係合要素(15,28)が、巻着した被包シートに加わる引き上げ力で被包シートが容器本体から離脱するのを協働して防ぐ。
【００１３】
上記容器本体(1)と被包シート(2)の第１の係合要素(15,28)(13,29)及び第２の係合要素(15,28)が、被包シート(2)の一部を外側から押圧して内側に突出部を形成する複数の変形部(28,29)と、容器本体(1)に設けられた載置部(13)と係止突出部を受け入れる受入部(15,16)であるものは、該部分が巻着した被包シート(2)に加わる荷重を協働して支え、また、巻着した被包シート(2)に加わる引き上げ力で被包シートが容器本体から離脱するのを協働して防ぐ。
【００１４】
一の変形部が支持突出部と係止突出部を兼用し、載置部と受入部が兼用されるものは、該部分により巻着した被包シート(2)に加わる荷重を協働して支え、また、巻着した被包シート(2)に加わる引き上げ力で被包シートが容器本体から離脱するのを協働して防ぐ。
【００１５】
容器本体(1)の底面に嵌装部(14)及び阻止手段(140)を有するものは、同容器本体(1)の底面に被包シート(2)で形成された筒状体の上部を嵌装したとしても、該阻止手段(140)により筒状体の過剰な進入が阻止される。
【００１６】
容器(A)で切り花を包装するにあたっては、まず、容器本体(1)を床面に置き、水を入れる。次に、切り花を容器本体(1)に口部(173)から差し入れる。容器本体(1)はあまり深くはないので、切り花を差し入れるときに、茎や葉が容器本体(1)と擦れて傷付くおそれはあまりなく、従来の容器ほどの細心の注意を払う必要はない。
【００１７】
次に、展開した（または開いた）状態の被包シート(2)を筒状に組み立てながら、容器本体(1)の口部(173)の上方にある切り花を囲むようにして、被包シート(2)の下部を容器本体(1)に装着する。このときの操作（手順）においては、切り花を被包シート(2)で外側から包むようにするので、仮に切り花が外側に倒れて広がっていても、被包シート(2)によって茎や葉が傷むことはあまりない。
このように、切り花搬送容器(A)によれば、切り花の包装を茎や葉などを傷めることなく、より簡単に行うことができる。
【００１８】
前記のように切り花を収容し包装した容器(A)は、積み重ねることができる。容器を積み重ねるときは、下側の容器(A)の被包シート(2)の上部に、上側となる容器(A)の容器本体(1)を嵌合する等して装着する。このように容器(A)を積み重ねることができるので、保管や搬送時において、スペース効率を高めることができる。
【発明の効果】
【００１９】
（ａ）本発明によれば、切り花等の物品を容器本体又は容器本体に差し入れた後、被包シートで形成された筒状体で外側から包むように包装することができるので、切り花の茎や葉などの内包物品を傷めることなく、包装をより簡単に行うことができる。
【００２０】
（ｂ）切り花等の物品を包装した状態で容器を積み重ねることができる容器は、保管や搬送時において、スペース効率を高めることができる。
【発明を実施するための最良の形態】
【００２１】
本発明を図に示した実施の形態に基づき詳細に説明する。
図１は本発明に係る切り花搬送容器の実施の形態を示す分解斜視図、
図２は切り花搬送容器を構成する容器本体の斜視図、
図３は切り花搬送容器を構成する被包シートの展開図である。
【００２２】
切り花搬送容器Ａ１は、合成樹脂製の容器本体１と、段ボールで形成された被包シート２により構成されている。容器本体１は、剛性または準剛性を有している。
なお、容器本体１としての後述するような機能性に支障がなければ、例えば撓み性や柔軟性等を備えたものを採用することもできる。また、被包シート２は、筒状に形成したときに自立性を有し、さらに上部に他の切り花搬送容器Ａ１を重ねたときに支えることができる十分な強度を有している。
【００２３】
図１、図２を参照し、容器本体１を説明する。
容器本体１は、支持枠１０を有している。支持枠１０は、外形が平面視四角形状の底面部１１を有し、底面部１１の各角部である四箇所から脚部１２が立ち上がって形成されている。
各脚部１２は内方向へやや傾いて設けられ、その上部には底面部１１と平行に上面部１３が形成されている。
【００２４】
各脚部１２は、周方向に外側へ膨らむように円弧状に湾曲する板状体で形成されている。各脚部１２の下端部には、底面部１１とつながるように外側へ膨出した係合部１４が設けられている。係合部１４の上部には水平な載置段部１４０が設けられている。係合部１４の内側は、中空となっている。
【００２５】
各脚部１２のうち係合部１４のやや上方には、ほぼ四角形状に切欠いて貫通させた下部係合穴１５が設けられている。
また、各脚部１２のうち下部係合穴１５の上方には、下部係合穴１５よりやや小さく、同じくほぼ四角形状に切欠いて貫通させた上部係合穴１６が設けられている。上部係合穴１６の上縁部には、波状に形成された掛かり部１６０が設けられている。掛かり部１６０の作用については後述する。なお、各係合部１４同士、各下部係合穴１５同士及び各上部係合穴１６同士は、それぞれ同じ高さ位置に設けられている。
【００２６】
前記上面部１３の内側には、上面部１３につながって容器部１７が設けられている。容器部１７の上部開口部は口部１７３となっている。容器部１７は、平面視でほぼ四角形状で、底部へ向けてやや窄まるように形成されている。容器部１７の側部１７０は周方向の四箇所で丸められている。
【００２７】
容器部１７の底部１７１は水平に設けられ、その高さは底面部１１よりやや高くなるように、すなわち容器本体１を平面に置いたときに、底部１７１と接地面との間に隙間が形成されるように設定されている。また、底部１７１の内底面には、切り花の茎の切り口を掛けて動きにくいようにする掛止条部１７２が所要数設けられている。
なお、上記掛止条部の配置は、切り花が動きにくいものであれば特に限定するものではない。
【００２８】
図１、図３を参照し、被包シート２を説明する。被包シート２は、図３に示すように平面的に形成したものを図１に示すように立体的（四角筒状）に組み立てて使用する。なお、図３においては、被包シート２の外面側が見える状態で表している。
【００２９】
被包シート２は図３のように展開した状態ではほぼ長方形状に形成されている。被包シート２には、幅方向（図２で横方向）に四面の互いに同じ幅である第１の側板２０、第２の側板２１、第３の側板２２、第４の側板２３と、一面の受板２４が設けられている。受板２４は、各側板に比べて狭く形成されている。合計五面の各板は、その間に折曲線２５を有し、これら四本の互いに平行な折曲線２５によって区画されている。
【００３０】
図３において左端の第１の側板２０は、高さ方向（図３で縦方向）のほぼ中間部に端辺２５ａから切り込んで設けられている切込線２０５によって、上片２０１と下片２０２に分けられている。上片２０１は、窓部形成手段を構成し、被包シート２内部の切り花を確認する際に、開いて窓部２０６を形成するための可動片である。なお、切込線２０５の位置は、前記高さ位置に限定されるものではなく、適宜設定が可能であり、形成する窓部２０６の大きさを適宜設定できる。
【００３１】
第２の側板２１、第４の側板２３の高さ方向の上部側には、横に長い長円状の把手穴２１０、２３０が表裏面を貫通して設けられている。
被包シート２の高さ方向の上部側（前記把手穴２１０、２３０よりやや低い位置）には、上片２０１側に位置して、第４の側板２３と受板２４の間の折曲線２５をまたぐように、切込線と折曲線を外形としてロック片２６が設けられている。
【００３２】
端辺２５ａから張り出すように、ロック片２６と同じ高さに差込片２７が設けられている。なお、ロック片２６と差込片２７は一般的に採用されている公知技術であるので、構造についての詳細な説明は省略する。
【００３３】
また、ロック片２６と差込片２７は、被包シート２の高さ方向の下部側（後述する下部折込片２８と上部折込片２９の間）にも、下片２０２に位置して、幅方向の同様の位置に設けられている。
【００３４】
被包シート２の高さ方向の下部側には、各折曲線２５をまたぐように、切込線と折曲線を外形として下部折込片２８が設けられている。各下部折込片２８は同じ高さ位置に設けられている。また、端辺２５ａには各下部折込片２８と同じ高さに、内側へ切り欠いて切欠部２０３が設けられている。
【００３５】
被包シート２のうち下部折込片２８より上側には、各折曲線２５をまたぐように、切込線と折曲線を外形として上部折込片２９が設けられている。各上部折込片２９は同じ高さ位置に設けられている。上部折込片２９は、前記下部折込片２８より幅広に形成されている。また、端辺２５ａには、各上部折込片２９と同じ高さに、内側へ切り欠いて切欠部２０４が設けられている。
【００３６】
（作用）
図４は切り花搬送容器に切り花を収容した状態を示す断面説明図、
図５は切り花搬送容器に切り花を収容し、内部の切り花を見るために被包シートの上片を開けた状態を示す斜視説明図である。
図１ないし図５を参照して切り花搬送容器Ａ１の作用を説明する。
【００３７】
切り花搬送容器Ａ１で切り花３を包装するにあたっては、まず、容器本体１を床面に置き、容器部１７に水を入れる。
次に、切り花３を容器部１７に上部の口部１７３から差し入れる。容器本体１の容器部１７は図４に示すようにあまり深くはないので、切り花３を差し入れるときに、茎や葉が容器と擦れて傷付くおそれはあまりない。これにより、従来の比較的深い容器と違い、収容作業においてそれほどの注意を払う必要はない。
【００３８】
次に、展開した状態の被包シート２を各折曲線２５で内側へ折り曲げて筒状に組み立てながら、容器本体１の口部１７３の上方にある切り花３を囲むようにして、被包シート２の下部を容器本体１に装着する。
被包シート２の組み立ては、前記のように折り曲げて四角筒状にしたあと、一端部の受板２４に他端部の側板２０の一部を横から被せるようにして、各ロック片２６と各差込片２７を係合させて行う。
【００３９】
また、被包シート２の容器本体１への装着は、まず被包シート２の下部を容器本体１の支持枠１０に外嵌めし、被包シート２下端の四箇所の角部を支持枠１０の各脚部１２に設けてある係合部１４の載置段部１４０に載せ、さらに被包シート２の各下部折込片２８と各上部折込片２９を指で押す等して内側へ折り込み、各下部折込片２８を容器本体１の各脚部１２に設けてある各下部係合穴１５と係合させ、各上部折込片２９を容器本体１の上面部１３に載せて行う（図５及び後述する図８参照）。
【００４０】
このときの被包シート２を装着する操作（手順）においては、仮に切り花３が外側に倒れるようにして広がっていても、切り花３を被包シート２で外側から包むようにするので、被包シート２によって茎や葉が傷むことを防止できる。
【００４１】
このように、切り花搬送容器Ａ１によれば、切り花３の包装を茎や葉などの傷みを防止しながら、より簡単に行うことができる。なお、被包シート２は段ボールで形成されているので、必要であれば切り花３の高さに合わせて上部側の一部を切り取ることもできる。
なお、被包シート２には把手穴２１０、２３０を備えているので、切り花３を包装した状態の切り花搬送容器Ａ１を、被包シート２の把手穴２１０、２３０に手を掛けて持ち運ぶことができる。
【００４２】
また、前記のように切り花３を包装した状態で、被包シート２の側板２０を構成している上片２０１を開けて窓部２０６を形成することができる。これによれば、被包シート２の上部開口部から見ただけでは十分でない場合、被包シート２を容器本体１から取り外すことなく、内部に収容されている切り花３の種類や状態を窓部２０６を通して確認することができる。                                                          
【００４３】
図６は切り花搬送容器を二段に積み重ねて並べた状態を示す説明図、
図７は積み重ねた切り花搬送容器の接合部の状態を示す断面説明図、
図８は積み重ねた切り花搬送容器の接合部を示し、容器本体と被包シートの係合部の状態を示す断面説明図である。
【００４４】
前記のように切り花３を収容し包装した切り花搬送容器Ａ１は、積み重ねることができる。切り花搬送容器Ａ１を積み重ねるときは、下側の切り花搬送容器Ａ１の被包シート２の上部に、上側となる切り花搬送容器Ａ１の容器本体１の支持枠１０を外嵌めし、被包シート２上部の四箇所の角部に、係合部１４の裏側の載置段部１４０の内部側の下面（符号省略）を載せる。このようにして、切り花搬送容器Ａ１同士を積み重ねることができ、切り花搬送容器Ａ１の保管や搬送時において、スペース効率を高めることができる。
【００４５】
図９は本発明に係る切り花搬送容器の他の実施の形態を示す正面図である。
なお、図面において前記切り花搬送容器Ａ１と同等箇所に同一または同等符号を付して示し、構造について重複する説明は省略する。
【００４６】
切り花搬送容器Ａ２は、前記切り花搬送容器Ａ１の容器本体１と同じ構造の容器本体１と、前記被包シート２とは異なる構造の被包シート２ａを組み合わせた構成を有する。
被包シート２ａは、被包シート２と比較して各側板２０ａの幅が狭く形成され、四角筒状に組み立てた状態ではやや細くなっている。
【００４７】
また、被包シート２ａは、上下方向の高さも被包シート２と比較して低く形成されている。さらに、窓部を形成するための可動片となる上片を形成する切込線が設けられていない点でも構造が異なる。なお、図９では見えないが把手穴は被包シート２と同様に設けられている。
【００４８】
被包シート２ａは、図９に示すように、容器本体１に下部を外嵌めしたあと、各下部折込片２８ａを内側へ折り込んで、容器本体１の各上部係合穴１６に入れて係合し、さらに上部折込片２９ａを内側へ折り込んで、容器本体１の上面部１３に載置して装着することができる。
上部係合穴１６に設けられている掛かり部１６０は、上部係合穴１６に下部折込片２８ａを係合したときに、下部折込片２８ａの上端が掛かるようにして、特に被包シート２ａを持って持ち上げたときに被包シート２ａが抜け外れないようにするものである。
【００４９】
なお、切り花搬送容器Ａ２は、切り花搬送容器Ａ１で包装する切り花より背の低い切り花の包装に適している。また、積み重ねることができる構造とはなっていないので、保管や搬送をする場合にスペース効率を上げるには、多段に設けられた棚や棚車等を使用するのが好ましい。
【００５０】
図１０は切り花搬送容器を構成する容器本体の他の実施形態を示す斜視図である。
容器本体１ａは、容器部１７ａが有底円筒形状に形成されている。容器部１７ａ以外の箇所は、図２に示す前記容器本体１と同一の構造を有している。
なお、図において、容器本体１と同一箇所には同一の符号を付して示し、構造について重複する説明は省略する。
【００５１】
本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００５２】
【図１】本発明に係る切り花搬送容器の実施の形態を示す分解斜視図。
【図２】切り花搬送容器を構成する容器本体の斜視図。
【図３】切り花搬送容器を構成する被包シートの展開図。
【図４】切り花搬送容器に切り花を収容した状態を示す断面説明図。
【図５】切り花搬送容器に切り花を収容し、内部の切り花を見るために被包シートの上片を開けた状態を示す斜視説明図。
【図６】切り花搬送容器を二段に積み重ねて並べた状態を示す説明図。
【図７】積み重ねた切り花搬送容器の接合部の状態を示す断面説明図。
【図８】積み重ねた切り花搬送容器の接合部を示し、容器本体と被包シートの係合部の状態を示す断面説明図。
【図９】本発明に係る切り花搬送容器の他の実施の形態を示す正面図。
【図１０】切り花搬送容器を構成する容器本体の他の実施形態を示す斜視図。
【符号の説明】
【００５３】
Ａ１  切り花搬送容器
１  容器本体
１０  支持枠
１１  底面部
１２  脚部
１３  上面部
１４  係合部
１４０  載置段部
１５  下部係合穴
１６  上部係合穴
１６０  掛かり部
１７  容器部
１７０  側部
１７１  底部
１７２  掛止条部
１７３  口部
２  被包シート
２０、２１、２２、２３  側板
２０１  上片
２０２  下片
２０３  切欠部
２０４  切欠部
２０５  切込線
２０６  窓部
２１０、２３０  把手穴
２４  受板
２５  折曲線
２５ａ  端辺
２６  ロック片
２７  差込片
２８  下部折込片
２９  上部折込片
３  切り花
Ａ２  切り花搬送容器
２ａ  被包シート
２８ａ  下部折込片
２９ａ  上部折込片
１ａ  容器本体
１７ａ  容器部
【図１】
0004285662.tif 000002
【図２】
0004285662.tif 000003
【図３】
0004285662.tif 000004
【図４】
0004285662.tif 000005
【図５】
0004285662.tif 000006
【図６】
0004285662.tif 000007
【図７】
0004285662.tif 000008
【図８】
0004285662.tif 000009
【図９】
0004285662.tif 000010
【図１０】
0004285662.tif 000011